(57)【特許請求の範囲】
【請求項１】
映像信号を再生する基準信号に基づいて設定された所定期間を１つのサイクルとし、この１つのサイクルを上記基準信号に基づいて分割してタイムスロットが設定され、このタイムスロット単位で映像信号の記録及び再生を行う際の映像信号記録方法であって、
所定画面分の映像信号を１つの画面群とし、
上記画面群の数をカウントしてカウント信号を生成し、
上記生成されたカウント信号を用い、映像信号を再生する上記基準信号に基づいて設定された上記所定期間内の上記画面群の数から、記録すべき画面群の数を判別し、この判別結果に基づきメモリ制御信号を生成し、
上記生成されたメモリ制御信号に基づき、上記判別された数の画面群毎に区分して上記映像信号を記憶し、
区分して記憶されている、判別された数の画面群の上記映像信号を、映像信号を記録する上記タイムスロットで記録媒体に記録する
ことを特徴とする映像信号記録方法。
【請求項２】
映像信号を再生する基準信号に基づいて設定された所定期間を１つのサイクルとし、この１つのサイクルを上記基準信号に基づいて分割してタイムスロットが設定され、このタイムスロット単位で映像信号の記録及び再生を行う映像信号記録装置であって、
所定画面分の映像信号を１つの画面群とするエンコード手段と、
上記画面群の数をカウントしてカウント信号を生成するカウント手段と
上記エンコード手段で生成された画面群の映像信号を記憶するメモリ手段と、
上記カウント手段で生成された上記カウント信号を用い、映像信号を再生する上記基準信号に基づいて設定された上記所定期間内の上記画面群の数から、記録すべき画面群の数を判別し、この判別結果に基づきメモリ制御信号を生成する判別手段と、
上記メモリ手段に記憶された映像信号を記録媒体に記録する記録手段とを有し、
上記メモリ手段では、上記判別手段で生成されたメモリ制御信号に基づき、上記判別手段で判別された数の画面群毎に区分して上記映像信号を記憶するものとし、
上記記録手段では、上記メモリ手段に区分して記憶されている上記判別手段で判別された数の画面群の映像信号を、映像信号を記録する上記タイムスロットで上記記録媒体に記録する
ことを特徴とする映像信号記録装置。
【発明の詳細な説明】
【０００１】
【発明の属する技術分野】
この発明は、映像信号記録方法および映像信号記録装置に関する。詳しくは、所定画面分の映像信号を１つの画面群とし、基準信号に基づいて設定された所定期間内の画面群の数を判別し、判別された数の画面群の映像信号を、基準信号に基づいて記録媒体に記録することにより、基準信号と映像信号の位相が異なる場合でも、画面群単位で映像信号を記録媒体に記録できるものである。
【０００２】
【従来の技術】
従来、例えばハードディスク装置等を用いて映像信号を記録できる映像信号記録装置が知られている。ここで、従来の映像信号記録装置の構成を図４に示す。
【０００３】
この図４に示す映像信号記録装置は、１系統の映像入力信号をハード・ディスク装置に記録できるものであると共に、ハード・ディスク装置に記録された映像信号を読み出して映像入力信号の記録と同時に３系統の映像出力信号を得ることができるものとされている。
【０００４】
図４において、ディジタルの映像入力信号Ｄinは、エンコード部１０でデータ量が圧縮されたのちメモリ部２０に書き込まれる。メモリ部２０に書き込まれた映像信号は、マイクロコンピュータ等を用いて構成された制御部７０からの制御信号ＣＷに基づいて読み出され、インタフェース部３０に供給される。さらに、メモリ部２０から読み出された映像信号は、インタフェース部３０から例えばＰＣＩ(Peripheral Component Interconnect)バス４０を介してハード・ディスク装置５０に供給されて記録される。
【０００５】
ハード・ディスク装置５０に記録された映像信号を再生する場合は、制御部７０からインタフェース部３１やインタフェース部３２，３３に映像信号を読み出すための命令が供給される。この命令は、インタフェース部３１やインタフェース部３２，３３からＰＣＩバス４０を介してハード・ディスク装置５０に供給される。
【０００６】
ハード・ディスク装置５０では、供給された命令に基づいて映像信号が読み出されて、ＰＣＩバス４０を介してインタフェース部３１やインタフェース部３２，３３に供給される。
【０００７】
インタフェース部３１に供給された映像信号はメモリ部２１に書き込まれる。メモリ部２１に書き込まれた映像信号はデコード部６１に供給されて、圧縮されている映像信号が復元されてディジタルの映像出力信号Ｄout１として出力される。
【０００８】
同様に、インタフェース部３２，３３に供給された映像信号はそれぞれメモリ部２２，２３に書き込まれ、メモリ部２２，２３に書き込まれた映像信号はデコード部６２，６３に供給されて、圧縮されている映像信号が復元されてディジタルの映像出力信号Ｄout2，Ｄout3として出力される。なお、メモリ部２１，２２，２３、インタフェース部３１，３２，３３、デコード部６１，６２，６３は制御部７０からの制御信号ＣＲ１，ＣＲ２，ＣＲ３によって制御される。
【０００９】
ここで、１系統の映像入力信号Ｄinを記録すると共に３系統の映像出力信号Ｄout1〜Ｄout3を同時に得る場合、所定時間（例えば１秒）を１つのサイクルとし、この１つのサイクルを分割してタイムスロットが設定され、このタイムスロット単位で記録や再生が行われる。このタイムスロット数は、１系統の映像入力信号Ｄinの記録と３系統の映像出力信号Ｄout１〜Ｄout3の出力を行うことから図５に示すように、４つのタイムスロット「Ｔ１」〜「Ｔ４」とされる。この１つのタイムスロットの期間内、例えば「Ｔ１」で１サイクル分の映像入力信号Ｄinの記録が行われると共に、１つのタイムスロットの期間内、例えば「Ｔ２」でハード・ディスク装置５０から映像信号が読み出されて１サイクル分の映像出力信号Ｄout１が出力される。また「Ｔ３」で映像信号が読み出されて１サイクル分の映像出力信号Ｄout2が出力されると共に、「Ｔ４」で映像信号が読み出されて１サイクル分の映像出力信号Ｄout3が出力される。
【００１０】
【発明が解決しようとする課題】
ところで、タイムスロット「Ｔ１」〜「Ｔ４」は、全て映像信号再生用の基準信号Ｄrefに基づいて設定されており、映像出力信号Ｄout1〜Ｄout3は全て基準信号Ｄrefと位相が一致するものとされている。ここで、記録すべき映像入力信号Ｄinが基準信号Ｄrefと位相が一致しない場合、１タイムスロット期間内での映像入力信号Ｄinのデータ量は、記録すべき映像入力信号Ｄinと基準信号Ｄrefとの位相が一致する場合よりも多いものとされたり、あるいは少ないものとされるため、例えば、所定画面分の映像信号を１つの画面群として記録する場合には、正しく映像信号を記録することができない。
【００１１】
そこで、この発明では、映像入力信号と基準信号の位相が異なっても正しく映像入力信号を記録することができる映像信号記録方法および映像信号記録装置を提供するものである。
【００１２】
【課題を解決するための手段】
この発明に係る映像信号記録方法は、映像信号を再生する基準信号に基づいて設定された所定期間を１つのサイクルとし、この１つのサイクルを基準信号に基づいて分割してタイムスロットが設定され、このタイムスロット単位で映像信号の記録及び再生を行う際の映像信号記録方法であって、所定画面分の映像信号を１つの画面群とし、画面群の数をカウントしてカウント信号を生成し、生成されたカウント信号を用い、映像信号を再生する基準信号に基づいて設定された所定期間内の画面群の数から、記録すべき画面群の数を判別し、この判別結果に基づきメモリ制御信号を生成し、生成されたメモリ制御信号に基づき、判別された数の画面群毎に区分して映像信号を記憶し、区分して記憶されている、判別された数の画面群の映像信号を、映像信号を記録するタイムスロットで記録媒体に記録するものである。
【００１３】
また、映像信号記録装置は、映像信号を再生する基準信号に基づいて設定された所定期間を１つのサイクルとし、この１つのサイクルを基準信号に基づいて分割してタイムスロットが設定され、このタイムスロット単位で映像信号の記録及び再生を行う映像信号記録装置であって、所定画面分の映像信号を１つの画面群とするエンコード手段と、画面群の数をカウントしてカウント信号を生成するカウント手段と、エンコード手段で生成された画面群の映像信号を記憶するメモリ手段と、カウント手段で生成されたカウント信号を用い、映像信号を再生する基準信号に基づいて設定された所定期間内の画面群の数から、記録すべき画面群の数を判別し、この判別結果に基づきメモリ制御信号を生成する判別手段と、メモリ手段に記憶された映像信号を記録媒体に記録する記録手段とを有し、メモリ手段では、判別手段で生成されたメモリ制御信号に基づき、判別手段で判別された数の画面群毎に区分して映像信号を記憶するものとし、記録手段では、メモリ手段に区分して記憶されている判別手段で判別された数の画面群の映像信号を、映像信号を記録するタイムスロットで記録媒体に記録するものである。
【００１４】
この発明においては、記録すべき映像信号の所定画面分を１つの画面群とし、画面群の数をカウントして生成されたカウント信号を用いて、映像信号を再生する基準信号に基づいて設定された所定期間内に画面群がいくつ含まれるかが判別される。また、この判別結果に基づいて生成されたメモリ制御信号に基づき、判別された数の画面群毎に区分して映像信号を記憶する。更に、区分して記憶されている、判別された数の画面群の映像信号を、映像信号を記録するタイムスロットで記録媒体に記録する。
ここで、記録すべき映像信号と基準信号の周波数が異なり位相が一致しないときには、所定期間内に含まれる画面群の数が変化し、このとき判別された画面群の数毎に映像信号が区分されて記憶され、区分されて記憶された映像信号が記録媒体に記録される。
【００１５】
【発明の実施の形態】
次に、この発明の実施の一形態について図を用いて詳細に説明する。図１は、この発明に係る映像信号記録装置の構成を示す図である。
【００１６】
図１において、ディジタルの映像入力信号Ｄinは、エンコード部１１に供給される。エンコード部１１では、映像入力信号Ｄinが例えばＭＰＥＧ（Moving Picture Experts Group）方式でデータ量が圧縮されて、２バンク構成のメモリ部８０に書き込まれる。また、エンコード部１１では、図２Ａに示すようにＭＰＥＧ方式でデータ量を圧縮して得られた映像信号の１つの画面群であるＧＯＰ(Group of Pictures)に対して、図２Ｂに示すようにＧＯＰの開始を示すスタート信号ＧＳが生成されてカウンタ部８１に供給される。
【００１７】
カウンタ部８１では、スタート信号ＧＳに基づきＧＯＰの数がカウントされて、カウント値を示すカウント信号ＧＮが判別部８２に供給される。判別部８２では、基準信号Ｄrefに基づいて設定された所定期間、例えば１秒間でのＧＯＰの数がカウント信号ＧＮを利用して判別されると共に、この判別された数のＧＯＰをハード・ディスク装置５０に記録するために、メモリ部８０でのバンク切り替えを行うためのメモリ制御信号ＢＣが生成されてメモリ部８０に供給される。また、判別されたＧＯＰの数を示す信号ＷＧが制御部７１に供給される。
【００１８】
マイクロコンピュータ等を用いて構成された制御部７１では、信号ＷＧに基づき制御信号ＣＴが生成されて、この制御信号ＣＴに基づきメモリ部８０から映像信号の読み出しが行われる。この読み出された映像信号は、インタフェース部３０に供給される。さらに、メモリ部２０から読み出された映像信号は、このインタフェース部３０から例えばＰＣＩバス４０を介してハード・ディスク装置５０に供給されて記録される。
【００１９】
なお、ハード・ディスク装置５０に記録された映像信号を再生する場合は、制御部７０からインタフェース部３１やインタフェース部３２，３３に映像信号を読み出すための命令が供給されて、この命令がインタフェース部３１やインタフェース部３２，３３からＰＣＩバス４０を介してハード・ディスク装置５０に供給されて映像信号の読み出しが行われる。
【００２０】
読み出された映像信号は、ＰＣＩバス４０を介してインタフェース部３１やインタフェース部３２，３３に供給されたのち、メモリ部２１やメモリ部２２，２３に書き込まれる。さらに、メモリ部２１やメモリ部２２，２３に書き込まれた映像信号が読み出されてデコード部６１やデコード部６２，６３によって伸長処理されることにより、１タイムスロットの期間中に読み出された映像信号から１サイクル分のディジタルの映像出力信号Ｄout１〜Ｄout3を出力できる。このメモリ部２１，２２，２３、インタフェース部３１，３２，３３、デコード部６１，６２，６３は制御部７１からの制御信号ＣＲ１，ＣＲ２，ＣＲ３によって制御される。
【００２１】
次に、図３のタイミングチャートを用いて動作を説明する。図３Ａのタイミングチャートは、記録すべき映像入力信号Ｄinが基準信号Ｄrefの位相と等しい場合を示しており、図３Ｂは映像入力信号Dinの周波数が基準信号Ｄrefの周波数よりも低くために位相が異なっている場合、図３Ｃは記録すべき映像入力信号Ｄinの周波数が基準信号Ｄrefの周波数よりも高いために位相が異なっている場合をそれぞれ示している。なお図３における数字は、信号圧縮方式の一つであるＭＰＥＧ方式のＧＯＰを表している。また、映像入力信号Ｄinが基準信号Ｄrefと位相が等しいと共に１ＧＯＰが２フレームである場合には、１５ＧＯＰが１秒とされる。
【００２２】
映像入力信号Ｄinと基準信号Ｄrefの位相が等しい図３Ａに示す場合には、１秒（１５ＧＯＰ）分の映像入力信号Ｄinが次の信号記録用のタイムスロットで記録される。
【００２３】
映像入力信号Ｄinの周波数が基準信号Ｄrefの周波数よりも低い場合には、図３Ｂに示すように、例えば１秒間では「０」から「１３」までの１４個のＧＯＰが含まれている。
【００２４】
この場合、カウンタ部８１ではスタート信号ＧＳに基づきＧＯＰの数がカウントされてカウント信号ＧＮが判別部８２に供給される。判別部８２では、基準信号Ｄrefに基づき例えば１秒間のＧＯＰの数がカウントされる。ここで、カウント値の判別は、カウント開始から１秒経過した時点よりも前に設定されたゲート期間中にカウント信号ＧＮのカウント値がアップしたタイミングで行われる。例えば図３Ｂでは、ゲート期間中にスタート信号ＧＳに基づいてＧＯＰ「１４」の開始が検出されてカウント値がアップすることから、１秒間のＧＯＰの数は「０」〜「１３」までの１４個とされる。またこのとき、カウンタ部８１のカウント値はリセット信号ＧＲによってリセットされる。さらに判別部８２では、１秒間のＧＯＰの数が判別されたときにメモリ制御信号ＢＣが生成されて、メモリ部８０ではこのメモリ制御信号ＢＣによって、ＧＯＰ「１４」以降のデータが、ＧＯＰ「０」〜「１３」のデータが記録されたバンクとは異なるバンクに記録されるようにバンク切り替えが行われる。また、判別部８２では、１秒間のＧＯＰの数が１４個であることを示す信号ＷＧが生成されて制御部７１に供給される。
【００２５】
制御部７１では、信号ＷＧに基づき１秒間のＧＯＰの数が１４個であることが判別されて、このＧＯＰの数に応じた制御信号ＣＴが生成される。このため、この制御信号ＣＴに基づき、メモリ部８０から１４個のＧＯＰが次の信号記録用のタイムスロットでメモリ部８０から読み出されてハード・ディスク装置５０に記録される。なお、次の記録用のタイムスロットでは、メモリ部８０のバンクを切り替えて次のＧＯＰの映像信号がハード・ディスク装置５０に記録される。
【００２６】
映像入力信号Ｄinの周波数が基準信号Ｄrefの周波数よりも高い場合には、図３Ｃに示すように、例えば１秒間では「０」から「１４」までの１５個のＧＯＰと、次の１秒の最初のＧＯＰを合わせた１６個のＧＯＰが含まれる。
【００２７】
この場合にも、映像入力信号Ｄinの周波数が基準信号Ｄrefよりも低い場合と同様に、カウンタ部８１ではスタート信号ＧＳに基づきＧＯＰの数がカウントされてカウント信号ＧＮが判別部８２に供給される。
【００２８】
判別部８２では、基準信号Ｄrefに基づき１秒間のＧＯＰの数がカウントされる。例えば図３Ｃでは、ゲート期間中にスタート信号ＧＳに基づいて次の１秒のＧＯＰ「１」の開始が検出されてカウント値がアップすることから、ＧＯＰの数は「０」〜「１４」，「０」までの１６個と判別される。またこのとき、カウンタ部８１のカウント値はリセット信号ＧＲによってリセットされる。さらに判別部８２では、１秒間のＧＯＰの数が判別されたときにメモリ制御信号ＢＣが生成されて、メモリ部８０ではこのメモリ制御信号ＢＣによって、次の１秒のＧＯＰ「１」以降のデータが、ＧＯＰ「０」〜「１４」，「０」のデータが記録されたバンクとは異なるバンクに記録されるようにバンク切り替えが行われる。また、判別部８２では、１秒間のＧＯＰの数が１６個であることを示す信号ＷＧが生成されて制御部７１に供給される。
【００２９】
制御部７１では、信号ＷＧに基づき１秒間のＧＯＰの数が１６個であることが判別されて、このＧＯＰの数に応じた制御信号ＣＴが生成される。このため、この制御信号ＣＴに基づき、メモリ部８０から１６個のＧＯＰが次の信号記録用のタイムスロットでメモリ部８０から読み出されてハード・ディスク装置５０に記録される。なお、次の記録用のタイムスロットでは、メモリ部８０のバンクを切り替えて次のＧＯＰのデータがハード・ディスク装置５０に記録される。
【００３０】
このように、記録するべき映像入力信号Ｄinの位相が基準信号Ｄrefと異なっても、記録すべきＧＯＰの数が可変されて、映像入力信号Ｄinをハード・ディスク装置５０に記録することができる。なお、タイムスロット数やＧＯＰのフレーム数等は例示的なものであって限定的なものではない。
【００３１】
また上述の実施の形態では、映像入力信号をＭＰＥＧ方式で処理してデータ量を圧縮し、ＧＯＰを１つの画面群としてＧＯＰ単位でハード・ディスク装置に記録するものとしたが、記録はＧＯＰ単位で行う場合に限られるものではない。また、ハード・ディスク装置との接続はＰＣＩバスに限られるものではなく他のインタフェース、例えばＳＣＳＩインタフェース等を用いるものとしてもよい。さらに、映像信号の記録はハード・ディスク装置に限られるものではなく、光ディスク装置、あるいはこれらを複数用いて構成されたディスクアレイ装置等を用いるものとしてもよいことは勿論である。
【００３２】
【発明の効果】
この発明によれば、記録すべき映像信号の所定画面分が１つの画面群とされて、映像信号を再生する基準信号に基づいて設定された所定期間内に画面群がいくつ含まれるかが判別され、判別された画面群の数毎に、映像信号を記録するタイムスロットで映像信号の記録が行われる。
【００３３】
このため、記録すべき映像信号と基準信号の周波数が異なり位相が一致しないときであっても、所定期間内に含まれる画面群の数の変化に応じて、記録される映像信号のデータ量が画面群単位で可変されて、画面群単位で正しく映像信号を記録することができる。
【図面の簡単な説明】
【図１】この発明に係る映像信号記録装置の構成を示す図である。
【図２】スタート信号ＧＳを示す図である。
【図３】映像信号記録装置の動作を説明するための図である。
【図４】従来の映像信号記録装置の構成を示す図である。
【図５】タイムスロットを説明するための図である。
【符号の説明】
１１・・・エンコード部、３０・・・インタフェース部、４０・・・ＰＣＩバス、５０・・・ハード・ディスク装置、７１・・・制御部、８０・・・メモリ部、８１・・・カウンタ部、８２・・・判別部
【図１】
0003887889.tif 000002
【図２】
0003887889.tif 000003
【図３】
0003887889.tif 000004
【図４】
0003887889.tif 000005
【図５】
0003887889.tif 000006